(57)【要約】      （修正有）【課題】細身にできつつも、ペン先を出没するための操作荷重が重たくならない出没式筆記具を提供する。【解決手段】案内路に、リングの凸部を筆記具本体の周方向に変移案内する第１の傾斜壁と、第１の傾斜壁とは反対の周方向に変移案内する第２の傾斜壁とを設けることによって、ペン先突出状態の係合部又はペン先没入状態の係合部に案内可能とすると共に、前記リングの凸部を、前記第１の傾斜壁又は第２の傾斜壁を乗り越えるために筆記具本体の径方向に変移案内する第３の傾斜壁を、前記第１の傾斜壁と第２の傾斜壁との間の案内路内に設け、前記第１の傾斜壁と第２の傾斜壁とを、筆記具本体の同一軸線方向位置に配置した。【選択図】図１
2017154369.tif 000002
【特許請求の範囲】
【請求項１】
弾撥部材により後方付勢され、外装体内に前後動可能に配置された筆記具本体に、凸部を有するリングを、筆記具本体の周上を回動可能に配置し、外装体及び／又は外装体に取り付けた部材に、前記リングの凸部が、筆記具本体の前後動によって移動し、筆記具本体の先端に有するペン先の外装体先端開口部からの突出状態を形成する係合部と、没入状態を形成する係合部とを有する案内路を形成した出没式筆記具において、前記案内路に、リングの凸部を筆記具本体の周方向に変移案内する第１の傾斜壁と、当該第１の傾斜壁とは反対の周方向に変移案内する第２の傾斜壁とを設けることによって、ペン先突出状態の係合部又はペン先没入状態の係合部に案内可能とすると共に、前記リングの凸部を、前記第１の傾斜壁又は第２の傾斜壁を乗り越えるために筆記具本体の径方向に変移案内する第３の傾斜壁を、前記第１の傾斜壁と第２の傾斜壁との間の案内路内に設け、前記第１の傾斜壁と第２の傾斜壁とを、筆記具本体の同一軸線方向位置に配置した、出没式筆記具。
【発明の詳細な説明】
【技術分野】
【０００１】
本発明は、先端にペン先を備える筆記具本体を外装体内に前後動可能に収容し、該筆記具本体を、操作によって外装体の先端よりペン先を出没させてなる出没式筆記具に関する。
【背景技術】
【０００２】
従来、先端にペン先を備える筆記具本体を前後動可能に外装体内に収容し、該筆記具本体を、操作によって外装体の先端よりペン先を出没させてなる出没式筆記具として、カム機構を利用したものが知られており、コイルスプリング等の弾撥部材にて後方付勢された筆記具本体に形成した突起等の係合部を、ノック操作などで前記弾撥部材の弾撥力に抗して作動させ、外装体に形成した、溝などの案内路に案内して、ペン先の突出状態、没入状態のそれぞれに係止できるようにした、所謂ハートカム機構と呼ばれている繰り出し機構を用いたものが知られている。
【０００３】
例えば、特開平１１―３２１１８２号公報には、筆記媒体と共に移動する係合体が外筒に形成された案内孔に案内されるによって、ペン先の出没係止をなす出没式筆記具が開示されている。
【先行技術文献】
【特許文献】
【０００４】
【特許文献１】特開平１１−３２１１８２号公報
【発明の概要】
【発明が解決しようとする課題】
【０００５】
しかし、特許文献１に記載の出没式筆記具では、軸に形成した案内孔に沿って係合体が、いわば外装体の周面に移動して係合位置に案内されるので、案内孔を物理的に配置する都合上、筆記具本体の幅側の距離を確保しなくてはならず、外装体が太くなるか、細身の外装体とすると案内孔に係合部を係合させるために大きな回転を伴うことになり、長手方向の操作であるノック操作に対する抵抗が大きくなるものであった。
【０００６】
本発明は、細身にできつつも、ペン先を出没するための操作荷重が重たくならない出没式筆記具を提供することを目的とする。
【課題を解決するための手段】
【０００７】
本発明は、弾性体により後方付勢され、外装体内に前後動可能に配置された筆記具本体に、凸部を有するリングを、筆記具本体の周上を回動可能に配置し、外装体及び／又は外装体に取り付けた部材に、前記リングの凸部が、筆記具本体の前後動によって移動し、筆記具本体の先端に有するペン先の外装体先端開口部からの突出状態を形成する係合部と、没入状態を形成する係合部とを有する案内路を形成した出没式筆記具において、前記案内路に、リングの凸部を筆記具本体の周方向に変移案内する第１の傾斜壁と、当該第１の傾斜壁とは反対の周方向に変移案内する第２の傾斜壁とを設けることによって、ペン先突出状態の係合部又はペン先没入状態の係合部に案内可能とすると共に、前記リングの凸部を、前記第１の傾斜壁又は第２の傾斜壁を乗り越えるために筆記具本体の径方向に変移案内する第３の傾斜壁を、前記第１の傾斜壁と第２の傾斜壁との間の案内路内に設け、前記第１の傾斜壁と第２の傾斜壁とを、筆記具本体の同一軸線方向位置に配置した出没式筆記具を要旨とする。
【発明の効果】
【０００８】
本発明の出没式筆記具は、出没係止のための係合部に案内されるリングの凸部を筆記具本体の周方向に変移案内する第１の傾斜壁と、当該第１の傾斜壁とは反対の周方向に変移案内する第２の傾斜壁とを、前記第１の傾斜壁又は第２の傾斜壁を乗り越えるために筆記具本体の径方向に変移案内する第３の傾斜壁を設けることによって、筆記具本体の同一軸線方向位置に配置でき、案内路が外装体の周方向に展開される量が少なく、出没式筆記具を細身とできると共に、ペン先出没の操作しやすいものである。
【図面の簡単な説明】
【０００９】
【図１】実施例１を示す縦断面図
【図２】蓋体の部品を示す斜視図
【図３】外装体の部品を示す断面の斜視図
【図４】環状部材の部品の部品を示す斜視図
【図５】筆記具本体の部品を示す斜視図
【図６】環状の弾性体の部品を示す斜視図
【図７】外装体の部品を示す斜視図
【図８】回転子の部品を示す斜視図
【図９】回転子の部品を示す上面図
【図１０】クリップの部品を示す斜視図
【図１１】クリップの部品を示す下面図
【図１２】筆記具本体と尾栓と回転子を組んだ状態を示す斜視図
【図１３】実施例１のクリップの反基端部以外を除いた上面図
【図１４】回転子の動作を説明する段階１を示す図１３の破線部分の拡大図
【図１５】回転子の動作を説明する段階２を示す図１３の破線部分の拡大図
【図１６】回転子の動作を説明する段階３を示す図１３の破線部分の拡大図
【図１７】回転子の動作を説明する段階４を示す図１３の破線部分の拡大図
【図１８】回転子の動作を説明する段階５を示す図１３の破線部分の拡大図
【図１９】回転子の動作を説明する段階６を示す図１３の破線部分の拡大図
【発明を実施するための形態】
【００１０】
出没式筆記具は、主に外装体と、先端にペン先を備える筆記具本体と、その筆記具本体を外装体内で常に後方に付勢するための弾性体と、筆記具本体を操作する操作部材とで構成されている。
外装体は、１部品又は前軸と後軸などの２部品以上から成る部材を組み立てたものから成り、筆記具本体が先端に備えたペン先を外装体から突出させるために、先端に開口部が形成されている。
筆記具本体が先端に備えるペン先は、ボールペンペン先、繊維収束体、ウレタンなどの多孔質体、連通孔を有する合成樹脂など適宜使用可能である。
筆記具本体は、内部に塗布液を収容しており、この塗布液の収容方法は、繊維収束体などの吸蔵体に含浸させたり、吸蔵体を使用せずに、塗布体内に直接自由状態で収容してもよい。使用される塗布液も、化粧用塗布液や筆記具用のインキなど適宜使用できる。筆記具用のインキの場合は着色剤として染料及び／又は顔料が使用でき、媒体も水、有機溶剤が適宜使用できる。
【００１１】
筆記具本体を前進させて、外装体の先端からペン先を突出させる操作は、筆記具本体の後端に配置したノック部材や、側部にスライド機構を設けるなどの操作部材を配置し、公知の方法を適宜採用できるものである。
【００１２】
非使用時である筆記具本体が外装体内に収容された状態で、塗布液の蒸発等を抑制するために、外装体にペン先を外気と遮断するための密閉部を設けることで長時間保管状態にあっても使用することができる。この場合、筆記具本体の前後動に合わせてペン先が通過する通路を閉塞及び開口させる機構を構成することで、１回の操作で非使用状態、使用状態とすることができるため、より使いやすい塗布具とすることができる。
前記塗布部を外気と遮断する機構としては、特開２００５−３３５０８２号や特開２０１１−１７３４０７号に開示されているような操作により蓋を開閉させる蓋開閉方式や、特開２００４−３１４５１３号に開示されているような外装体の開口部に配置した弾性体にスリットを形成してペン先が筒状体内に収納されている状態では外側からスリットを締め、塗布体の前進によりペン先又は他の手段により筒状体のスリットを開口させるスリット弁方式等が挙げられ、適宜選択できる。
尚、ボールペンのようなペン先自体が内部を閉塞する弁機能を備えるものであったり、シャープペンシルや鉛筆、クレヨンのような乾燥による筆記不能の心配が極小の場合には、必ずしも密閉構造を設ける必要は無い。
【実施例】
【００１３】
本発明の実施例を図１〜図１９に基づき説明する。
尚、本実施例において、筆記具のペン先方向を前方、その反対を後方、筆記具本体の軸線から径方向に離間する方向を上方、その反対側の軸線に向く方向を下方として説明しており、以降の実施例についてもこれを踏襲するものとする。
図１は、本発明に係る出没式筆記具の一例の全体の縦断面図であり、繊維収束体をペン先とし、水及び／又は有機溶剤を媒体とした低粘度インキを繊維収束体であるインキ吸蔵体に含浸させ使用したものを想定している。
筆記具を手に把持する部材である外装体１の内部に、ペン先２を先端に備えた筆記具本体３を前後動自在に収容している。外装体１は、前後端に開口部を有する貫通穴を備えた筒状体であり、前端開口部１ａがペン先突出口であり、後端開口部１ｂが操作部材の突出口となっている。前端開口部１ａには、後述する蓋体４に対して摺接する環状弾性体５が嵌めこまれて固定されており、その蓋体４が閉じた状態では蓋体４と環状弾性体５とが周状当接し、該部における通気を遮断している。
【００１４】
筆記具本体３は、気体透過が少なく、成形性の良いポリプロピレンを使用した軸筒３ａと、有底筒状の尾栓７とを有している。軸筒３ａの外形は、細径部３ｂと太径部３ｃとその間の肩部３ｄとから主に形成されており、細径部３ｂは先端より突出したペン先２を主に収容し、太径部３ｃは主にインキ吸蔵体６を収容している。ペン先２は、金属製のペン先ホルダー２ｂにてかしめ保持されて、そのペン先ホルダー２ｂが、細径部３ｂの先端内孔に圧入されることによって固定しており、ペン先２の後端がインキ吸蔵体６の先端に埋没状に接続されインキが連通するようなしてある。軸筒３ａの細径部３ｂは肩部３ｄと外装体１との間にはコイルスプリング８が配置されており軸筒３ａを後方に付勢している。また、細径部３ｂには、環状の弾性体１０が嵌められており、この環状の弾性体１０が外装体１の内壁と気密状に摺接することで、ペン先２の存在する空間の後方密閉状態を形成し、蓋体４の外装体１の前端開口部１ａの閉塞によってペン先２の存在する空間を外気と遮断し得る。
尾栓７は軸筒３ａの内向に挿入状態で液蜜に螺合し、尾栓７の内部空間にまでインキ吸蔵体６が介在するようになしてある。この尾栓７の内壁の底部と、内側壁には、複数のリブ７ａが形成され、特に内側壁のリブ７ａは長手方向に延在しており、尾栓７の内部にインキ吸蔵体６との間に軸筒３ａの内部空間と連通する通気路を形成していると共に、リブ７ａによってインキ吸蔵体６が挟持される形となっており、尾栓７を軸筒３ａから取り外す時にインキ吸蔵体６が尾栓７とともに取り外されるようなしてある。このようにすることによって、インキ吸蔵体中６に含浸するインキが消費されて少なくなったりインキがなくなったりした際に、尾栓７と共にインキ吸蔵体６を抜き出し、再度インキを含浸させたり、インキ吸蔵体６ごと交換するなどとすることができるものである。また、前記インキ吸蔵体６は、ポリエチレンなどの合成樹脂性フィルムで側壁を覆っており交換時にさわっても手を汚さないようになっている。
【００１５】
図２に蓋体４の外観斜視図を、図３に外装体の前端部分の要部拡大図示す。蓋体４は、外装体１の前端開口部１ａを塞ぎ得る蓋部４ａと側壁部４ｂとを有し、その側壁部４ｂには、外装体１の内壁に向かい合うように形成した２つの軸受部１ｃに当接する円柱状の回転軸４ｃを外側に凸状態で備えている。回転軸４ｃの先端面は傾斜のある曲面で形成されており、蓋体４が外装体１の内部で駆動する際に外装体１と干渉しないようになしてある。
蓋体４の側壁部４ｂの間部分は空間部分となっており、蓋体４が回転及び移動して外装体１の前端開口部１ａを放した際には、ペン先２が通過できる通路を形成するものである。
また、蓋体４の側壁部４ｂの内側壁部分には内方突起として内側カム部４ｄが形成されている。その内側カム部４ｄは筆記具本体３の前進によって筆記具本体３と衝接する部分であり、衝接することにより、筆記具本体３が蓋体４を押し、強制的に蓋体４を回転させ、外装体１の前端開口部１ａと蓋体４の空間部とがあわさり、ペン先２が突出する。
蓋体４の回転軸４ｃには回転カム部４ｆ設け、その回転カム部４ｆに対応する凹凸状のカム部１ｖを外装体１の軸受部１ｄに形成している。この回転カム部４ｆが、軸受部１ｄに形成された凹凸状のカム部１ｖによって回転することで、回転軸４ｃが回転及び上下動（上方および下方へ移動）をする構成となっている。
なお、前方の壁（受面１ｄ）の上下に設けられた壁は、回転軸４ｃが上下動するための距離が必要である。そのため、軸受部１ｄは上方に長い凹形状となっている。
【００１６】
蓋体４の後部には蓋体４を前方に押す状態で環状部材９が配置されている。環状部材９は、前記環状の弾性体１０と当接し、蓋体４に側壁部９ｂにて当接している。部品拡大斜視図である図４に示すように、側壁部９ｂの前端には接触面９ｃが設けられ、その接触面９ｃは、傾斜面９ｄと、蓋体４の開口時に前記蓋体４の外側カム部４ｅが落ち込み係止する係止溝９ｅと、突起９ｆとを有している。側壁部９ｂは後方のコイルスプリング８の弾発力を、接触面９ｃを介して蓋体４の外側カム部４ｅに伝え、蓋体４に外装体１の前端開口部１ａを閉塞する方向へと回転力を与えている。また、接続部９ａの内形には筆記具本体３の細径部３ｂが通行可能な中孔部９ｇを形成しているが、断面円形状の筆記具本体３の細径部３ｂと点接触出来るように、四角形の角部分を曲面とした形状となっている。
尚、環状部材９は蓋体４と摺接し、蓋体４を回転及び上下動させる部材であるため、自己潤滑性があり、摩擦摩耗性が優れているポリアセタールを使用している。
【００１７】
部品拡大斜視図である図５に示すように、弾性体１０は、外側に外装体１の内面と気密に接触する外側密閉リブ１０ａと、環状の弾性体１０が外装体内を摺動する際に傾きすぎることを防止した外側傾き防止リブ１０ｂとを有しており、内側に、筆記具本体３と気密に摺接する内側密閉リブ１０ｃを有している。内側密閉リブ１０ｃは二条リブとなっているが、このリブ１０ｃの間に難揮発性液状物を滞留させることで筆記具本体３との密閉を確実になすと共に、摺動抵抗を低く抑えている。また、外側密閉リブ１０ａと内側密閉リブ１０ｃとの形成位置を軸方向前後にずらすことによって、外装体１との接触による外側密閉リブ１０ａの内側への撓みと、筆記具本体３との接触による内側密閉リブ１０ｃの外側への撓みが径方向でぶつかり合うことが無いため、筆記具本体３の移動時及び環状の弾性体１０が後方へ移動する際の摺動抵抗を小さくしている。環状の弾性体１０の後端部にはコイルスプリング８と接続する受け溝部１０ｄが環状に形成されている。
【００１８】
外装体１の後方外周面には、窓孔１ｅが形成されており、該窓孔１ｅは、筆記具本体３を外装体後端開口部１ｂから挿入するときに、後述する回転子１１の外周側面に形成した凸部１１ａが入り易いように、外装体１の後端開口部１ｂから形成されている。
【００１９】
外装体１の後部拡大斜視図である図７に示すように、外装体１の窓孔１ｅは後方が回転子１１の凸部１１ａよりも若干幅広く成した幅狭部１ｆ、前方は周方向片側に広い幅広部１ｇとなっている。窓孔内１ｅにおいて、ペン先２の外装体１の前端開口部１ａからの突出状態を形成する係合部１ｕと、没入状態を形成する係合部１ｔとを有する案内路が形成されている。窓孔１ｅの幅狭部１ｆの前方片側には段部１ｈが設けてあり、該段部１ｈには、ペン先２の外装体前端開口部１ａからの突出状態を形成する係合部１ｕが形成されている。突出状態を形成する係合部１ｕは、段部１ｈの面と窓孔１ｅの幅広部１ｇの側縁部１ｊとを連設しており、段部１ｈの面は後方に向かうに連れて幅広部１ｇに向かい、回転子１１の凸部１１ａを突出状態を形成する係合部１ｕに案内する傾斜面となっている。
幅広部の前縁部１ｋは、幅広部１ｇの側縁部１ｊから前方に向かうに連れて、突出状態を形成する係合部１ｕが在る側と反対の側縁部１ｍに向かうよう傾斜している。該前縁部１ｋが、回転子１１の凸部１１ａを筆記具本体３の周方向に変移案内する第２の傾斜壁１ｎとなっている。また、外装体１の窓孔１ｅの後方外周面には、クリップ１２を取り付けるためのクリップ取付部１ｏが形成されている。クリップ取付部１ｏ前方の幅狭部１ｆの幅をさらに小さくした突部１ｐが対向するように形成されている。この突部１ｐは、後方の側面が前方に向かうに連れて窓孔の幅を狭くした傾斜面１ｑとなっており、外装体後端開口部１ｂから挿入される回転子１１の凸部１１ａが通過し易く、さらにコイルスプリング８によって後方に付勢された筆記具本体３の後方への付勢を抑える役割をしている。また、この突部１ｐは、クリップ１２を組み立てる際の仮抑えで、筆記具使用時はこの突起１ｐが破損しても、後述するクリップ１２の基端部１２ａに設けた突部１２ｂがすぐ後ろに挿入されるので、筆記具本体の後方への付勢を抑えることができる。
【００２０】
前記クリップ取付部１ｏは、窓孔１ｅにより断面が略Ｃ字状に成した外周面の両縁部を橋渡しするように形成している。このように形成することで、外装体１の後端開口部１ｂから形成した窓孔１ｅにより断面が略Ｃ状に成した外装体１後方の変形を抑えることができる。
また、クリップ取付部１ｏには、係合孔（前方係合孔１ｒ、後方係合孔１ｓ）が、外装体１の窓孔１ｅを中心にして橋渡し部の両側に、前後２個ずつ形成されている。
【００２１】
図１０及び図１１に示すクリップ１２は、クリップ１２の基端部１２ａが外装体１のクリップ取付部１ｏに嵌着され、外装体１の窓孔１ｅを覆うように配設されている。
クリップ１２の基端部１２ａの裏面には、クリップ取付部１ｏの前方係合孔１ｒと後方係合孔１ｓに係合するよう、前後２つの係合突起（前方係合突起１２ｃ、後方係合突起１２ｄ）が形成されている。後方の２つの係合突起１２ｄは、周方向に向いた爪部が形成されている。前方の２つの係合突起１２ｃは、前記前方係合孔１ｒの内径側端面に掛るよう前方に向かって爪部が形成されている。このように形成することで、クリップの前方を上方向に持ち上げた時に、より外れ難くしている。
【００２２】
クリップ基端部１２ａの中央前方には、外装体１の窓孔１ｅの幅狭部１ｆに入り込むよう下方向に突設した突部１２ｂを形成しており、外装体１の窓孔１ｅの幅狭部１ｆの両側縁部と囲むようにして、没入状態を形成する係合部１ｔとしての役割となっている。
クリップ１２の反基端部１２ｅの裏面には、図１１に示すように、回転子１１の凸部１１ａを筆記具本体３の周方向に変移案内する第１の傾斜壁１２ｆが下方向に向かって突出しており、前記第２の傾斜壁１ｎと同一軸線上に位置している。第１の傾斜壁１２ｆは、突出状態を形成する係合部１ｕが在る側と反対の側縁部１ｍから幅広部側の側縁部１ｊに向かって前方に傾斜している。図１３に示すように、第１の傾斜壁１２ｆと第２の傾斜壁１ｎは、回転子１１の凸部１１ａを、互いに周方向反対側に案内することができ、周方向への展開の小さいカム構造とすることができる。
【００２３】
第１の傾斜壁１２ｆの最前部には、第１の傾斜壁１２ｆを乗り越えるための第３の傾斜壁１２ｇが形成されており、第３の傾斜壁１２ｇには、後方に延びた側面１２ｈが連設されている。該第３の傾斜壁１２ｇは、突出状態を形成する係合部１ｕの前方に位置し、後方に向かうに連れて漸次高さが低くなるよう形成した傾斜面１２ｉとなっている。第１の傾斜壁１２ｆの最前部に、第３の傾斜壁１２ｇを形成したことで、凸部１１ａを第１の傾斜壁１２ｆから、第１の傾斜壁と互いに同一軸線にある第２の傾斜壁１ｎへ案内することが可能となり、凸部１１ａの周方向への案内路を小さくすることができる。
【００２４】
筆記具本体３の太径部３ｃの外周面には、突起３ｅが形成されており、外装体１の側部に設けられた窓孔１ｅを通じて外装体１の外に突出している。この突起３ｅは、後方に付勢された筆記具本体３がペン先２没入状態を維持するために前記没入状態を形成する係合部１ｔと係合している。
【００２５】
筆記具本体３の太径部３ｃ外周面には、断面がＣ字状の回転子１１を回転自在に配置するための凹部３ｆが突起３ｅの前方に形成されている。凹部３ｆは、断面が回転子１１の断面に合わせ、Ｃ字状に形成されていて、回転子が回転する範囲で干渉しないようになっている。
また、凹部は、前方が周方向に足の短いＣ字状部３ｇに、後方が周方向に足の長いＣ字状部３ｈとなっている。凹部の前記周方向に足の短いＣ字状部の前縁部３ｉには、筆記具本体３の太径部３ｃの外周面に沿って、後方に延びた突部３ｊが形成されている。この突部３ｊは後述する回転子１１の凹部１１ｂと係合することにより、回転子１１が後退する動作において、回転子１１の周方向への移動を防止する及び、周方向への移動を補助する役割をもっている。
【００２６】
回転子１１は、筆記具本体３の凹部３ｆの断面と同じようにＣ字状部１１ｂからなり、その両端部から幅の短い延長部１１ｃが形成されている。
これは、回転子１１を前後逆方向に組み付けた時、回転子１１の延長部１１ｃが筆記具本体３の凹部３ｆの足の短いＣ字状部３ｇ及び足の長いＣ字状部３ｈと干渉することで、誤った組み付けを防止する役割をしている。
回転子１１の外側面には、外装体１の窓孔１ｅに挿入され各傾斜壁に案内されるための凸部１１ａが、外装体１の側部に設けられた窓孔１ｅを通じて外装体１の外に突出している。
凸部１１ａの後方端面は後方に向かって突出状態を形成する係合部１ｕの在る側に傾斜する後方傾斜面１１ｄとなっている。このような傾斜面とすることで、回転子１１がコイルスプリング８の付勢力によって後方へ進み、回転子１１の凸部１１ａが突出状態を形成する係合部１ｕの段部の面に当接した際に、凸部１１ａが後方に進むに連れて該段部と接触する面が増えるので、当接した面が小さくても、より確実に突出状態を形成する係合部１ｕへと案内されることができる。
凸部１１ａの前端面には、前方に向かって漸次高さが低くなる前方傾斜面１１ｅが形成されている。また、凸部１１ａの横断面は前後に延びた長方形で前方両角部に４５°のテーパ面を設けているが、この形状の限りではなく、設けなくともよい。外装体１の窓孔１ｅ内に形成した案内路を通過することができ、さらに突出状態を形成する係合部１ｕに係止され、ペン先突出状態を保つことができれば、適宜応用することができる。
また、回転子のＣ字状断面の中央部の前方端部には、前端部から後方に向かって筆記具本体３に対して回転子１１の周方向への回転を規制するための規制凹部１１ｆと周方向への回転を補助する補助凹部１１ｇが形成されている。
【００２７】
次に、図１２〜図１９に基づき、回転子１１の凸部１１ａが、ペン先２の没入状態を形成する没入位置から、ペン先２が外装体先端開口部１ａから突出した状態を形成する突出位置、さらにペン先２が突出した状態から没入状態までの一連の案内路を移動する動作について説明する。
筆記具本体３の後端部に接続され外装体後端部から突出した尾栓７を押圧すると、筆記具本体３が後方への付勢力に対抗して前進する。窓孔１ｅ内の退没位置にある回転子１１の凸部１１ａは、筆記具本体３の前進により回転子１１の後端面が筆記具本体３の太径部３ｃに形成した前記凹部３ｆの後端面に接触して押され回転子１１が前進することで、窓孔１１ｅ内を前進する。凸部１１ａは、前方に位置した前記クリップ反基端部１２ｅの裏面から突設した第１の傾斜壁１２ｆに接触し、第１の傾斜壁１２ｆに沿って移動し、突出状態を形成する係合部１ｕの前方に案内され、第３の傾斜壁１２ｇの側面１２ｈと当接すると、凸部１１ａの前方への移動が規制され、筆記具本体３の前進動作が完了する。
尾栓７への押圧を解除すると、後方に付勢された筆記具本体３は筆記具本体３の軸線に沿って後退する。このとき、筆記具本体３に伴って回転子１１も同時に後退する。筆記具本体３が後退すると、突出状態を形成する係合部１ｕの傾斜面の前方に移動した回転子１１の凸部１１ａは、筆記具本体３の後退に伴って一緒に後退する。
この際、前記凹部３ｆに形成した前記突部３ｊが、回転子１１に形成した回転子１１の周方向への回転を補助する補助凹部１１ｇの補助斜面１１ｈと当接し、回転子１１の凸部１１ａが突出状態を形成する係合部１ｕに向かうよう案内する。
回転子１１は、回転子１１の凸部１１ａと突出状態を形成する係合部１ｕの傾斜面及び回転子１１後端面の補助凹部１１ｇの補助斜面１１ｈと筆記具本体３の突部３ｅにより、回転子１１は確実に突出状態を形成する係合部１ｕに案内される。回転子１１の凸部１１ａが突出状態を形成する係合部１ｕと係合すると回転子１１の移動が停止し、回転子１１の停止に伴い筆記具本体３の後退も停止される。このとき、筆記具本体３に配設したペン先２が外装体１の先端開口部１ａからの突出状態となり、回転子１１の凸部１１ａの退没位置から突出位置までの動作が完了する。
【００２８】
さらに尾栓７を押圧すると、前進した筆記具本体３に伴い、回転子１１及び回転子の凸部１１ａも前進する。凸部１１ａの前方には、第３の傾斜壁１２ｇが位置し、凸部１１ａが第３の傾斜壁１２ｇと当接する。さらに凸部１１ａが前進すると、第３の傾斜壁１２ｇに沿って凸部１１ａが摺動し、第３の傾斜壁１２ｇは上方へ移動される。第３の傾斜壁１２ｇは第１の傾斜壁１２ｆと共にクリップ１２に形成されているため、凸部１１ａの前進によってクリップ１２が変形して反基端部１２ｅが上方へ移動し、凸部１１ａは第１の傾斜壁１２ｆの底面に沿って第１の傾斜壁１２ｆを通過し、更に前方へ移動する。
前進した凸部１１ａは、図１８に示すように、外装体１の窓孔１１ｅ前端部に形成した第２の傾斜壁１ｎに当接する。さらに筆記具本体３が前進すると、凸部１１ａは第２の傾斜壁１ｎに沿って前進しながら退没位置の方向へ移動する。
凸部１１ａが、第２の傾斜壁１ｎと突出状態を形成する係合部１ｕが在る側と反対の側縁部１ｍの連接部に到達し、突出状態を形成する係合部１ｕが在る側と反対の側縁部１ｍに当接すると、凸部１１ａの前方への移動が規制され、筆記具本体３の前進動作が完了する。
クリップ反基端部１２ｅの第１の傾斜壁１２ｆの底面には、前後に延びた溝部１２ｊが、外装体１の窓孔１ｅの幅狭部１ｆの前方に形成されており、凸部１１ａが通過すると、この溝部１２ｊに落ち込み、衝撃音が発生する。この溝部１２ｊを凸部１１ａが突出状態を形成する係合部１ｕが在る側と反対の側縁部１ｍに当接する直前に落ち込む位置に配置して、尾栓７の押圧動作を知らせる役割としている。この溝部１２ｊは衝撃音を発生させるための物で、設けなくてもよい。
尾栓７への押圧を解除すると、後方に付勢された筆記具本体３は筆記具本体３の軸線に沿って後退する。回転子１１は、クリップ１２の反基端部１２ｅの変形に伴う反発力により一時停止し、回転子１１の前端面と筆記具本体３の太径部３ｃの凹部３ｆの前端面に当接して押されることで後退し、回転子１１の凸部１１ａが外装体１の窓孔１ｅの突出状態を形成する係合部１ｕが在る側と反対の側縁部１ｍに沿って、退没位置に戻る。このとき、太径部３ｃの凹部３ｆに形成した突部３ｊと回転子１１前端部の周方向への回転を規制するための規制凹部１１ｆが係合する。そのため、回転子１１は後退する過程において回転すること無く、確実に退没位置まで戻ることができる。
【００２９】
本実施例では、第１の傾斜壁１２ｆ及び第３の傾斜壁１２ｇをクリップ１２の反基端部１２ｅに形成したが、クリップ１２ではなく、外装体１の窓孔１ｅに設け、回転子１１の凸部１１ａの前進により、上下動可能に形成することもできる。外装体１の窓孔１１ｅをクリップ１２が覆うように配設することにより、外観から窓孔１１ｅを隠すことができ、見栄えが良くなる。
また、本発明において、突出状態を形成する係合部１ｕを外装体１の窓孔１ｅの幅狭部１ｆと幅広部１ｇとの段部１ｈに設けたが、前記段部１ｈを後方に向かうに連れ幅広部の側縁部１ｊから幅狭部の側縁部１ｋに向かう傾斜面とし、クリップ反基端部１２ｅの裏面から突出状態を形成する係合部１ｕを形成することも可能である。
この場合、ペン先突出状態において、クリップ１２を持ち上げると、クリップ反基端１２ｅの裏面に形成した突出状態を形成する係合部１ｕに係合されている回転子１１の凸部１１ａが離脱し、前記傾斜面に案内されて、退没位置に戻ることが可能となり、いわゆる安全機構と言われる構成とすることができる。
【符号の説明】
【００３０】
１      外装体
１ａ    前端開口部
１ｂ    後端開口部
１ｃ    軸受部
１ｄ    受面
１ｅ    窓孔
１ｆ    幅狭部
１ｇ    幅広部
１ｈ    段部
１ｊ    幅広部の側縁部
１ｋ    幅広部の前縁部
１ｍ    反対の側縁部
１ｎ    第２の傾斜壁
１ｏ    クリップ取付部
１ｐ    突部
１ｑ    傾斜面
１ｒ    前方係合孔
１ｓ    後方係合孔
１ｔ    没入状態を形成する係合部
１ｕ    突出状態を形成する係合部
１ｖ    カム部
２      ペン先
２ａ    ペン芯
２ｂ    ペン先ホルダー
３      筆記具本体
３ａ    軸筒
３ｂ    細径部
３ｃ    太径部
３ｄ    肩部
３ｅ    突起
３ｆ    凹部
３ｇ    足の短いＣ字状部
３ｈ    足の長いＣ字状部
３ｉ    前縁部
３ｊ    突部
４      蓋体
４ａ    蓋部
４ｂ    側壁部
４ｃ    回転軸
４ｄ    内側カム部
４ｅ    外側カム部
４ｆ    回転カム部
５      環状弾性体
６      インキ吸蔵体
７      尾栓
７ａ    リブ
８      コイルスプリング
９      環状部材
９ａ    接続部
９ｂ    側壁部
９ｃ    接触面
９ｄ    傾斜面
９ｅ    係止溝
９ｆ    突起
９ｇ    中孔部
９ｈ    段部
１０    環状の弾性体
１０ａ  外側密閉リブ
１０ｂ  外側傾き防止リブ
１０ｃ  内側密閉リブ
１０ｄ  受け溝部
１１    回転子
１１ａ  凸部
１１ｂ  Ｃ字状部
１１ｃ  延長部
１１ｄ  後方傾斜面
１１ｅ  前方傾斜面
１１ｆ  規制凹部
１１ｇ  補助凹部
１１ｈ  補助斜面
１２    クリップ
１２ａ  基端部
１２ｂ  突部
１２ｃ  前方係合突起
１２ｄ  後方係合突起
１２ｅ  反基端部
１２ｆ  第１の傾斜壁
１２ｇ  第３の傾斜壁
１２ｈ  後方に延びた側面
１２ｉ  傾斜面
【図１】
2017154369.tif 000003
【図２】
2017154369.tif 000004
【図３】
2017154369.tif 000005
【図４】
2017154369.tif 000006
【図５】
2017154369.tif 000007
【図６】
2017154369.tif 000008
【図７】
2017154369.tif 000009
【図８】
2017154369.tif 000010
【図９】
2017154369.tif 000011
【図１０】
2017154369.tif 000012
【図１１】
2017154369.tif 000013
【図１２】
2017154369.tif 000014
【図１３】
2017154369.tif 000015
【図１４】
2017154369.tif 000016
【図１５】
2017154369.tif 000017
【図１６】
2017154369.tif 000018
【図１７】
2017154369.tif 000019
【図１８】
2017154369.tif 000020
【図１９】
2017154369.tif 000021